(57)【要約】【課題】  再生時にユーザが違和感を感じない楽曲データを、容易かつ確実に記録することができる楽曲データ記録方法および楽曲データ記録装置を提供する【解決手段】  システムコントローラ５がＤＶＤ・ＣＤデッキ２に挿入されたＣＤからトラック情報を取得し、挿入されたＣＤに記録されている音響データが、ノンストップＣＤデータかどうかを判断する。ノンストップＣＤデータかどうかは、トラック間に記録されるトラック０の音声データが無音データであるかどうかで判断する。ノンストップＣＤデータであれば、ＤＶＤ・ＣＤデッキ２に挿入されたＣＤに記録されている全楽曲の楽曲データを、記録されている曲順通りに並べて結合した１つの仮想的な楽曲データとして記録装置３に記録する。また、取得したトラック情報に基づいて楽曲情報を作成し、記録したノンストップ記録データに関連付けて楽曲情報を記録装置３に記録する。【選択図】      図１
2010160856.tif 000002
【特許請求の範囲】
【請求項１】
外部記録媒体に記録された楽曲データを記録装置に記録する楽曲データ記録方法であって、
外部記録媒体に記録されている複数の楽曲データのトラック情報を取得する取得ステップと、
前記取得ステップにおいて取得したトラック情報に基づいて、楽曲データ間に無音情報が記録されているかどうかを判断する判断ステップと、
前記判断ステップにおいて楽曲データ間に無音情報が記録されていないと判断された場合、前記外部記録媒体に記録されている複数の楽曲データを結合された１つの楽曲データとして記録装置に記録する記録ステップとを有することを特徴とする楽曲データ記録方法。
【請求項２】
前記記録ステップでは、前記トラック情報に基づいて、楽曲データの区切りを特定することが可能な情報である楽曲情報を、前記結合された１つの楽曲データに関連付けて記録装置に記録することを特徴とする請求項１記載の楽曲データ記録方法。
【請求項３】
外部記録媒体に記録された楽曲データを記録する楽曲データ記録装置であって、
外部記録媒体に記録されている複数の楽曲データのトラック情報を取得する取得手段と、
前記取得手段により取得されたトラック情報に基づいて、楽曲データ間に無音情報が記録されているかどうかを判断する判断手段と、
前記判断手段により楽曲データ間に無音情報が記録されていないと判断された場合、前記外部記録媒体に記録されている複数の楽曲データを結合された１つの楽曲データとして記録する記録手段とを有することを特徴とする楽曲データ記録装置。
【発明の詳細な説明】
【技術分野】
【０００１】
本発明は、外部記録媒体に記録された楽曲データを記録装置に記録する楽曲データ記録方法および楽曲データ記録装置に関する。
【背景技術】
【０００２】
音響システムにおいては、ユーザは、音響データ、たとえば好みの楽曲データを、デジタルデータ放送などの放送媒体を介して受信したり、ＣＤ（Compact Disk）などのディスク型記録媒体に予め記録されている楽曲データを読み込むなどして、ＨＤＤ（Hard Disk 
Drive）などの楽曲データ記録装置に記録し、自由に再生して楽しむことができる。
【０００３】
楽曲データは、たとえばＣＤなどに１枚のアルバムとして複数の楽曲データが予め定められた曲順で記録されており、記録装置に記録する場合も、曲ごとの区切りを明確にし、記録されている曲順通りに記録されることになる。
【０００４】
楽曲間には、区切りがわかるように、たとえば無音部分がトラックとして記録されている。この無音部分のトラック（以下では「無音トラック」という）は、ＣＤなどの記録媒体に記憶されている状態で既に無音トラックとして記録されている場合もあるし、記録媒体から楽曲データ記録装置へと楽曲データの記録を行う際に、記録用のソフトウェアであるリッピングソフトウェアによって、楽曲間に無音トラックを付加して曲ごとの区切り情報を明確にする場合もある。
【０００５】
また、楽曲データ記録装置に楽曲データを記録するには、通常データ圧縮を行うが、一定サンプル数のフレームに分割してフレームごとに圧縮するような圧縮処理の場合、楽曲の最終フレームにおいて、サンプル数が不足すると、無音データを追加することで不足分を補う。
【０００６】
楽曲ごとに予め区切られているデータを記録するような場合は、無音トラックや無音データが付加されても、曲間の無音再生時間がわずかに長くなるに過ぎず、楽曲再生時にユーザが感じる違和感はほとんどない。
【０００７】
しかしながら、演出上の効果を狙って、複数の楽曲が記録されているにもかかわらず、曲間に無音再生時間がなく、連続再生されることを前提とした楽曲データ、いわゆるノンストップリミックスなどと呼ばれる楽曲データを記録装置に記録する場合に、楽曲データ間に無音トラックや無音データが付加されてしまうと、再生したときに原曲には存在しない無音再生時間が発生し、演出上の効果が発揮されずユーザが感じる違和感は非常に大きなものとなる。また、ライブ盤などの楽曲データの場合も同様に、複数の楽曲が記録されているにもかかわらず、曲間に無音再生時間がないので、無音トラックや無音データが付加されてしまうと、記録装置に記録された楽曲データを再生した場合、ユーザは大きな違和感を感じることになる。
【０００８】
特許文献１記載のオーディオデータ圧縮方法は、符号化対象の曲の終端部のサンプル数が足りない場合に、次の曲の先頭部分のデータ列を挿入して符号化することにより、原曲と変わらない聞こえ方を保持することができる。
【０００９】
特許文献２記載の記録システムは、ディスク再生中に曲と曲の間の一定レベル以下の小信号を検出し、その部分の再生信号を出力せず、小信号が録音されないように制御することにより、ディスクダビング時に曲間に無音部のない録音を可能としている。
【先行技術文献】
【特許文献】
【００１０】
【特許文献１】特開２００５−１２２０３４号公報
【特許文献２】特開平２−３０２９７９号公報
【発明の概要】
【発明が解決しようとする課題】
【００１１】
特許文献１記載の発明は、フレーム分割による圧縮方法で記録する場合には効果があるが、非圧縮で記録する場合や異なる圧縮方法によって圧縮する場合には、必ずしも効果がるとはいえない。特許文献２記載の発明は、ディスク再生中の小信号を検出するため、録音に長時間を要し、一定レベル以下の小信号が無音データでなかった場合には、誤って必要なデータまで省いてしまうおそれがある。
【００１２】
本発明の目的は、再生時にユーザが違和感を感じない楽曲データを、容易かつ確実に記録することができる楽曲データ記録方法および楽曲データ記録装置を提供することである。
【課題を解決するための手段】
【００１３】
本発明（１）は、外部記録媒体に記録された楽曲データを記録装置に記録する楽曲データ記録方法であって、
外部記録媒体に記録されている複数の楽曲データのトラック情報を取得する取得ステップと、
前記取得ステップにおいて取得したトラック情報に基づいて、楽曲データ間に無音情報が記録されているかどうかを判断する判断ステップと、
前記判断ステップにおいて楽曲データ間に無音情報が記録されていないと判断された場合、前記外部記録媒体に記録されている複数の楽曲データを結合された１つの楽曲データとして記録装置に記録する記録ステップとを有することを特徴とする楽曲データ記録方法である。
【００１４】
また本発明（３）は、外部記録媒体に記録された楽曲データを記録する楽曲データ記録装置であって、
外部記録媒体に記録されている複数の楽曲データのトラック情報を取得する取得手段と、
前記取得手段により取得されたトラック情報に基づいて、楽曲データ間に無音情報が記録されているかどうかを判断する判断手段と、
前記判断手段により楽曲データ間に無音情報が記録されていないと判断された場合、前記外部記録媒体に記録されている複数の楽曲データを結合された１つの楽曲データとして記録する記録手段とを有することを特徴とする楽曲データ記録装置である。
【発明の効果】
【００１５】
本発明（１）によれば、楽曲データ間に無音情報が記録されていないときは、外部記録媒体に記録されている複数の楽曲データが結合された１つの楽曲データとして記録装置に記録するので、無音トラックや無音データが付加されることがなく、再生時にユーザが違和感を感じない楽曲データを記録する楽曲データ記録方法が実現できる。
【００１６】
またこの楽曲データ記録方法では、前記外部記録媒体に記録されている複数の楽曲データのトラック情報に基づいて判断を行うので、圧縮方法や再生信号などに影響を受けず、容易かつ確実に違和感のない楽曲データを記録することができる。
【００１７】
また本発明（３）によれば、楽曲データ間に無音情報が記録されていないと判断された場合、前記外部記録媒体に記録されている複数の楽曲データを結合された１つの楽曲データとして記録装置に記録するので、無音トラックや無音データが付加されることがなく、再生時にユーザが違和感を感じない楽曲データを記録する楽曲データ記録装置が実現できる。
【００１８】
またこの楽曲データ記録装置では、外部記録媒体に記録されている複数の楽曲データのトラック情報に基づいて判断を行うので、圧縮方法や再生信号などに影響を受けず、容易かつ確実に違和感のない楽曲データを記録することができる。
【図面の簡単な説明】
【００１９】
【図１】本発明の実施形態である楽曲データ記録方法を実現するための楽曲データ記録装置１００の構成を示すブロック図である。
【図２】システムコントローラ５によるＣＤからのリッピング処理を示すフローチャートである。
【図３】楽曲情報２０の例を示す図である。
【図４】楽曲情報３０の例を示す図である。
【図５】楽曲リスト４０の画面表示例を示す図である。
【発明を実施するための形態】
【００２０】
図１は、本発明の実施形態である楽曲データ記録方法を実現するための楽曲データ記録装置１００の構成を示すブロック図である。
【００２１】
楽曲データ記録装置１００は、ラジオ・テレビチューナ１、ＤＶＤ・ＣＤデッキ２、記録装置３、データデコーダ４、システムコントローラ５、映像処理回路６、表示装置７、音声処理回路８、音声出力装置９および入力装置１０を有する。
【００２２】
ラジオ・テレビチューナ１は、アンテナ１ａを介して、地上デジタルテレビジョン放送の１セグメント部分を用いたデジタル放送（いわゆるワンセグ放送）、地上デジタルテレビジョン放送の１２セグメント部分を用いたデジタル放送（いわゆるフルセグ放送）、地上デジタル音声放送（いわゆるデジタルラジオ放送）など、各種のデジタルデータ放送の放送信号を複数受信し、受信した複数の放送信号から所定の放送信号を検出し、その中に含まれる音響データや映像データなどをシステムコントローラ５に送る。
【００２３】
ＤＶＤ・ＣＤデッキ２は、ＤＶＤ（Digital Versatile Disk）やＣＤなどのディスク型の外部記録媒体に記録されている音響データや映像データを読み取り、システムコントローラ５に送る。記録装置３は、ハードディスクドライブや、メモリーカードなどの記録媒体で実現され、ラジオ・テレビチューナ１で受信した音響データや映像データ、ＤＶＤやＣＤなどに記録されている音響データや映像データを記録する。データデコーダ４は、ＤＶＤ・ＣＤデッキ２で読み取られた音響データおよび映像データのデコードを行う。システムコントローラ５は、ＣＰＵ（中央演算処理装置）などの集積回路により実現され、ラジオ・テレビチューナ１およびＤＶＤ・ＣＤデッキ２から送られてくる音響データに対して、楽曲データ間に無音データがない連続した複数の楽曲データで構成される音響データ（以下では「ノンストップＣＤデータ」という）であるかどうかを判断し、判断結果に応じて記録装置３への音響データの記録内容を変更したり、音響データおよび映像データを映像処理回路６または音声処理回路８に送るなど、音響データおよび映像データの記録管理および送り先の選択を行う。
【００２４】
映像処理回路６は、システムコントローラ５を介して、ラジオ・テレビチューナ１およびＤＶＤ・ＣＤデッキ２から送られてくる映像データを、デジタル／アナログ変換処理などによって、表示装置７に応じた形式の映像データに変換する。表示装置７は、ＣＲＴ（
Cathode Ray Tube）や、液晶ディスプレイなどで実現され、映像処理回路６で変換された映像データを表示する。また、楽曲データ記録装置１００の設定画面やメニュー画面など、システムコントローラ５が作成した映像データも表示する。
【００２５】
音声処理回路８は、システムコントローラ５を介して、ラジオ・テレビチューナ１およびＤＶＤ・ＣＤデッキ２から送られてくる音響データを、デジタル／アナログ変換処理などによって、音声出力装置９に応じた形式の音響データに変換する。音声出力装置９は、スピーカなどで実現され、音声処理回路８で変換された音響データを出力する。入力装置１０は、キーボードやタッチパネルなどで構成され、ユーザが操作することで、楽曲データ記録装置１００の各種設定やメニュー画面の入力操作を行う。
【００２６】
取得手段、判断手段、記録手段は、システムコントローラ５によって実現される。
以下では、ＣＤに記録されている音響データを記録装置３に記録する場合を例として、リッピング方法について説明する。
【００２７】
主に音響データを記録するＣＤは、ＣＤ−ＤＡ（Compact Disc Digital Audio）規格に則って楽曲データを記録している。ＣＤに記録されている音響データは、たとえば１つの曲に対して１つのトラックが割り当てられ、記録されている曲順にしたがって１曲目の楽曲データはトラック１，２曲目の楽曲データにはトラック２が割り当てられたトラック構造を有している。
【００２８】
また、楽曲データと楽曲データとの間には、曲間の区切りを明確にするために無音データがトラック０として記録されている。
【００２９】
これらのトラック構造は、楽曲データの記録状態を示すトラック情報として、ＣＤから取得することができる。
【００３０】
１枚のアルバムとして複数の楽曲データが予め定められた曲順で記録され、曲間に無音データが予め記録されているような音響データ（以下では「一般ＣＤデータ」という）をＣＤから読み取って記録装置３に記録する場合には、予め記録されているトラック０の無音トラック、圧縮処理により作成される無音データが付加されても、再生時に問題は発生しない。
【００３１】
しかしながら、ノンストップＣＤデータを、ＣＤから読み取って記録装置３に記録する場合に、無音トラック、無音データが付加されると原曲にはない無音再生時間が発生するため、ユーザにとって大きな違和感を感じることになる。
【００３２】
したがって、本発明では、まずリッピングしようとする音響データが、ノンストップＣＤデータであるかどうかを判断し、ノンストップＣＤデータであった場合には、トラック構造を保持せず、全ての楽曲データを結合し、仮想的に１つの楽曲データ（以下では「ノンストップ記録データ」という）として記録する。
【００３３】
これにより、１枚のＣＤに記録されている音響データを楽曲ごとに区別して記録するのではなく１つの楽曲データ（１枚のアルバムデータ）として記録できるので、楽曲間に無音トラックや無音データが付加されることがない。したがって、ノンストップ記録データの再生時に、楽曲間に無音再生時間が発生しないので、原曲通りに再生され、ユーザが違和感を感じることもない。
【００３４】
ＣＤに記録されているノンストップＣＤデータでは、トラック構造として複数の楽曲データを含んでいるが、ノンストップ記録データは、記録装置３に記録される音響データとしては１つの楽曲データであって、トラック構造を保持していない。記録装置３に記録されているノンストップ記録データの再生を考えると、ＣＤに記録されているノンストップＣＤデータを再生する場合と同様に、現在再生中の曲が何曲目であるか、その曲名などの情報が、表示可能に構成されるほうが好ましい。
【００３５】
このような情報を表示するには、ノンストップ記録データの楽曲ごとの区切りがわかるような情報を含む楽曲情報をテーブル化し、記録装置３にノンストップ記録データと関連付けて記録しておく。
【００３６】
ノンストップ記録データの再生時には、システムコントローラ５が、再生しようとするノンストップ記録データに関連付けられた楽曲情報を参照し、再生中の曲の曲名、曲順などを表示装置７に表示する。
【００３７】
図２は、システムコントローラ５によるＣＤからのリッピング処理を示すフローチャートである。
【００３８】
ＤＶＤ・ＣＤデッキ２に、ＤＶＤまたはＣＤが挿入されると、システムコントローラ５は、挿入されたディスクがＤＶＤであるか、ＣＤあるか、記録されているデータの規格などを検出し、検出結果に応じた処理を開始する。
【００３９】
たとえば、ＣＤ−ＤＡ規格のディスクが挿入されたことを検出すると、記録されているトラック情報を取得し、楽曲データの再生を行う。
【００４０】
また、ＤＶＤ・ＣＤデッキ２に初めて挿入されたＣＤの場合は、楽曲データの再生を行うとともに、ユーザによる記録の指示が入力されなくとも楽曲データの記録装置３への記録もバックグランド処理として実行することもできる。ＤＶＤ・ＣＤデッキ２に初めて挿入されたＣＤかどうかは、一度再生したＣＤに関する情報を記録装置３に記録しておき、挿入されたＣＤの情報と照合すればよい。
【００４１】
また、ユーザによる記録の指示の入力を待って、挿入されたＣＤの楽曲データの記録を行うようにしてもよい。指示の入力を待って記録する場合は、たとえば、システムコントローラ５が、表示装置７に記録指示の入力を受け付ける旨を表示させ、ユーザによって入力装置１０が操作され、指示が入力されると、ＤＶＤ・ＣＤデッキ２に挿入されたＣＤから記録装置３への楽曲データの記録を開始する。
【００４２】
このとき、システムコントローラ５が、ＤＶＤ・ＣＤデッキ２に挿入されたＣＤから取得したトラック情報に基づいて、楽曲リストを表示装置７に表示し、楽曲リストからユーザが記録装置３に記録したい楽曲を選択することで、選択した楽曲の楽曲データのみを記録装置３に記録するように構成することが好ましい。ユーザは、入力装置１０を操作して、表示装置７に表示した楽曲リストから、記録したい楽曲を選択する。
【００４３】
図２のフローチャートで示すリッピング処理は、ＣＤがＤＶＤ・ＣＤデッキ２に挿入された時点で開始される。また、このリッピング処理は、上記のように挿入されたＣＤの再生中にバックグランド処理として実行することができる。
【００４４】
ステップＳ１では、システムコントローラ５が、ＤＶＤ・ＣＤデッキ２に挿入されたＣＤからトラック情報を取得し、ステップＳ２では、挿入されたＣＤに記録されている音響データが、ノンストップＣＤデータかどうかを判断する。ノンストップＣＤデータであれば、ステップＳ３に進み、ノンストップＣＤデータでなければ、すなわち一般ＣＤデータであればステップＳ５に進む。
【００４５】
ノンストップＣＤデータかどうかは、状態情報としてＣＤからトラック情報を取得し、トラック間に記録されるトラック０の音声データが無音データであるかどうかで判断する。トラック０が無音データでない場合は、曲間に無音再生時間が設定されているので、ノンストップＣＤデータではなく、楽曲ごとに区切られた一般ＣＤデータであることがわかる。トラック０が無音データである場合は、曲間に無音再生時間がなく、ノンストップＣＤデータであることがわかる。
【００４６】
本来ＣＤに記録されているトラック情報に基づいて、ノンストップＣＤデータかどうかの判断を行うので、従来技術のように圧縮方法や再生信号などに影響を受けず、容易かつ確実に違和感のないノンストップ記録データを記録することができる。
【００４７】
ステップＳ３では、ＤＶＤ・ＣＤデッキ２に挿入されたＣＤに記録されている全楽曲の楽曲データを、記録されている曲順通りに並べて結合した１つの仮想的な楽曲データ（ノンストップ記録データ）として記録装置３に記録してステップＳ４に進む。
【００４８】
ステップＳ４では、ステップＳ１で取得したトラック情報に基づいて、ステップＳ３で記録したノンストップ記録データに関する楽曲情報を作成し、記録したノンストップ記録データに関連付けて楽曲情報を記録装置３に記録する。
【００４９】
図３は、楽曲情報２０の例を示す図である。
楽曲情報２０は、曲順２１、演奏開始時刻２２、演奏終了時刻２３、演奏時間２４の各情報が、テーブル構造を有して構成される。
【００５０】
曲順２１は、ノンストップ記録データにおける曲順を示す。演奏開始時刻２２は、ノンストップ記録データの１曲目の開始時刻を０としたときの各楽曲の演奏が開始される時刻を示す。演奏終了時刻は、ノンストップ記録データの１曲目の開始時刻を０としたときの各楽曲の演奏が終了される時刻を示す。演奏時間２４は、各楽曲の演奏時間を示す。
【００５１】
たとえば、楽曲情報２０に示す例では、１曲目の演奏開始時刻は「０：００：００」であり、演奏終了時刻は「０：０３：００」であり、演奏時間は「０：０３：００」である。
【００５２】
ノンストップ記録データは、トラック構造を保持していないので、楽曲の区切りが不明な楽曲データとなっている。システムコントローラ５は、記録装置３に記録されているノンストップＣＤデータを再生するときには、楽曲情報２０を参照し、曲順を表示装置７に表示する。
【００５３】
ノンストップ記録データの演奏開始時刻を０として演奏時間の計時を開始し、楽曲情報２０に示す例では、演奏時間が０：０３：００となったときに１曲目が終了し、同時に２曲目が開始される。したがって、演奏時間が０：０３：００となったときに曲順の表示を１曲目から２曲目に変更すればよい。その後も同様に、演奏時間の経過に応じて、３曲目、４曲目の表示を行えばよい。
【００５４】
これにより、ＣＤに記録されているノンストップＣＤデータを再生したときと同様に、現在再生中の曲を特定することができ、曲順などの情報をユーザに知らせることができる。
【００５５】
図４は、楽曲情報３０の例を示す図である。
本例では、図３に示した楽曲情報２０に含まれる曲順２１、演奏開始時刻２２、演奏終了時刻２３、演奏時間２４の各情報に加え、再生スキップフラグ２５、曲名２６、アーチスト名２７も含まれる。
【００５６】
再生スキップフラグ２５は、後述する選択楽曲記録処理によって選択された楽曲かどうかを示すフラグであり、「０」であれば選択されなかったものとして、ノンストップ記録データの再生時にその楽曲はスキップされ、「１」であれば選択されたものとして、ノンストップ記録データの再生時にその楽曲は再生される。曲名２６およびアーチスト名２７は、トラック情報取得時にＣＤ−Ｔｅｘｔに記録されていた楽曲ごとの曲名および演奏しているアーチスト名のテキストデータを取得した情報である。
【００５７】
楽曲情報３０には、曲名２６およびアーチスト名２７が含まれているので、上記のように、現在再生中の楽曲を特定することで、再生中の曲の曲名およびアーチスト名を表示装置７に表示することができる。
【００５８】
選択楽曲記録処理は、前述のように、ノンストップＣＤデータのうち、楽曲リストからユーザが記録装置３に記録したい楽曲を選択することで、選択した楽曲の楽曲データのみを記録装置３に記録する処理である。
【００５９】
図５は、楽曲リスト４０の画面表示例を示す図である。ノンストップＣＤデータを記録したＣＤが、ＤＶＤ・ＣＤデッキ２に挿入された時点でトラック情報およびＣＤ−Ｔｅｘｔに記録されている情報を取得し、取得した曲名およびアーチスト名を、楽曲情報３０に記載するとともに、ＣＤに記録されている曲順に並べた楽曲リストを作成し、表示装置７に画面表示する。このとき、楽曲ごとにチェックボックス４１を設け、チェックボックス４１に対して曲名４２およびアーチスト名４３を表示する。
【００６０】
ユーザは、タッチパネルやカーソルキーなどの入力装置１０を用いて、記録装置３に記録したい楽曲を選択してチェックボックス４１をチェックする。図５に示した例では、１〜３曲目、５〜７曲目、９，１０曲目がチェックされているので、これら８曲の楽曲データをノンストップ記録データとして記録装置３に記録する。
【００６１】
このとき、選択されなかった４曲目および８曲目の楽曲データを除く全８曲の楽曲データを１つの楽曲データとしてノンストップ記録データを記録する構成であってもよいし、全楽曲の楽曲データを１つの楽曲データとしてノンストップ記録データを記録し、ノンストップ記録データの再生時に選択された楽曲のみを再生する構成であってもよい。図４に示した楽曲情報３０は、後者の選択楽曲のみを再生する構成の実施形態の場合の楽曲情報を示している。楽曲情報３０の再生スキップフラグ２５に記録されたフラグに応じて、フラグに「１」が記録されている楽曲のみを再生する。図５に示した例では、１〜３曲目、５〜７曲目、９，１０曲目がチェックされているので、図４に示した楽曲情報３０の再生スキップフラグ２５では、１〜３曲目、５〜７曲目、９，１０曲目に「１」が記録され、４曲目および８曲目に「０」が記録されている。
【００６２】
システムコントローラ５は、ノンストップ記録データを再生するときに、再生するノンストップ記録データに関連付けられている楽曲情報３０を参照し、４曲目および８曲目は再生せずにスキップし、１〜３曲目、５〜７曲目、９，１０曲目のみを再生すればよい。これによって、１〜３曲目、５〜７曲目、９，１０曲目のみが再生されるので、あたかも４曲目および８曲目が記録されていないかのように、ノンストップ記録データを再生することができる。
【００６３】
さらに、ノンストップ記録データに含まれる楽曲の一部を削除しようとする場合、記録装置３から削除対象の楽曲データを削除してもよいが、楽曲情報３０を用いて、再生スキップフラグ２５を書き換えるだけで疑似的に削除を実行することができる。すなわち、ユーザによって、削除対象の楽曲が指示されたときは、該当楽曲に対応する再生スキップフラグ２５を「１」から「０」に書き換える。これにより、システムコントローラ５は、ノンストップ記録データを再生するときに、再生するノンストップ記録データに関連付けられている楽曲情報３０を参照すれば、削除対象の楽曲の再生をスキップするので、実際に削除されたかのように再生される。
【００６４】
なお、一部の楽曲の再生をスキップする場合、スキップする曲数が多くなると、次に再生すべき楽曲データをシークするためのシークタイムが長くなり、再生時に音の途切れが発生するおそれがある。再生時に音の途切れが発生したとしても、ユーザが認識できない程度の短時間の途切れであればユーザは違和感を感じないので、問題はない。もし、ユーザに認識されてしまうような音の途切れが発生する場合は、スキップ再生を行わず、再生スキップフラグ２５に「０」が記載されているスキップ対象の楽曲データを記録装置３から削除し、残余の楽曲データを結合して新たなノンストップ記録データを作成する。また、ＨＤＤのシーク能力に基づいて、楽曲データをスキップした場合に要するシークタイムすなわち、音が途切れる時間を推定し、推定時間が人間が認識できる音の途切れ時間以上となる場合は、再生スキップフラグ２５の書き換えではなく、楽曲データの削除または、選択された楽曲データのみの記録を実行する。
【００６５】
すでに記録装置３に記録されているノンストップ記録データ全体を削除する場合は、削除対象のノンストップ記録データに関連付けられている楽曲情報も削除することが好ましい。
【符号の説明】
【００６６】
１  ラジオ・テレビチューナ
２  ＤＶＤ・ＣＤデッキ
３  記録装置
４  データデコーダ
５  システムコントローラ
６  映像処理回路
７  表示装置
８  音声処理回路
９  音声出力装置
１０  入力装置
１００  楽曲データ記録装置
【図１】
2010160856.tif 000003
【図２】
2010160856.tif 000004
【図３】
2010160856.tif 000005
【図４】
2010160856.tif 000006
【図５】
2010160856.tif 000007